(57)【要約】【課題】浄液が収容されたシャンプータンクを汚物を溜める集塵容器の外部に着脱可能に取り付け、前記洗浄液が充満されたシャンプータンクを容易且つ安全に取り付けることができるとともに、転倒してしまった場合でも前記シャンプータンクが破損するのを抑制する。【解決手段】台座部１と、台座部１の上部後方より突出されたハンドル１１と、台座部１の上部に配置された集塵容器２と、台座部１の上部に形成された取付部１０５に着脱自在に配置される洗浄液収容部３と、集塵容器２の上部開口に着脱自在に取り付けられた機器ケース部４とを備え、ハンドル１１は支柱部１１１がタンク取付部１０５を挟むように配置されている乾湿両用電気掃除機Ａ。 【選択図】図２
2010104390.tif 000002
【特許請求の範囲】
【請求項１】
台座部と、
前記台座部の上部後方より突出されたハンドルと、
前記台座部の上部に保持され、上部に開口を有し固体汚物及び液体汚物を内部に蓄積するための集塵容器と、
前記台座部の上部に形成された取付部に着脱自在に配置され、洗浄液が収容された洗浄液収容部と、
前記集塵容器の上部開口に着脱自在に取り付けられた機器ケース部とを備えた乾湿両用電気掃除機であって、
前記ハンドルは互いに平行となるように前記台座部より突出された一対の支柱部を備えており、
前記支柱部が前記取付部を挟むように配置されていることを特徴とする乾湿両用電気掃除機。
【請求項２】
前記機器ケース部は後部に張り出し、前記一対の支柱部の間に配置された張出部を備え、
前記張出部は前記台座部に配置された前記洗浄液収容部の上端部の少なくとも一部を係合するように形成されている請求項１に記載の乾湿両用電気掃除機。
【請求項３】
前記張出部が前記機器ケース部に対して上下方向に摺動可能に支持されている請求項２に記載の乾湿両用電気掃除機。
【請求項４】
前記張出部は下方に突出した凸部を備えた凸ジョイントを有し、
前記洗浄液収容部は上面に前記凸部と連結される凹部を備えた凹ジョイントを有し、
前記洗浄液収容部が前記台座部のタンク取付部に配置されたのちに、前記凸ジョイントと前記凹ジョイントとが連結可能となる請求項２又は請求項３に記載の乾湿両用電気掃除機。
【請求項５】
前記凸ジョイントは前記張出部に上下に摺動可能に支持されており、
前記凸ジョイントが弾性部材にて下方に付勢されている請求項４に記載の乾湿両用電気掃除機。
【請求項６】
前記凹ジョイントは前記洗浄液収容部に上下に摺動可能に支持されており、
前記凹ジョイントが弾性部材にて上方に付勢されている請求項４に記載の乾湿両用電気掃除機。
【請求項７】
前記台座部が前記洗浄液収容部を上方に持ち上げる持ち上げ機構を備えている請求項４に記載の乾湿両用電気掃除機。
【請求項８】
前記台座部は後部より後方に突出された踏み台を備えており、
前記洗浄液収容部が前記踏み台の後方端部と前記一対の支柱部の先端とを結んだ直線よりも前方に配置されている請求項１から請求項７のいずれかに記載の乾湿両用電気掃除機。
【発明の詳細な説明】
【技術分野】
【０００１】
本発明は固体汚物及び液体汚物の両方の清掃を行うことができる乾湿両用電気掃除機に関する。
【背景技術】
【０００２】
従来、床面にある固体汚物を回収することができるとともに、床面に洗浄液を吹き付けて洗浄し、洗浄後の液体を回収する乾湿両用電気掃除機が提案されている。前記乾湿両用電気掃除機では、台座部の上部に取り付けられ、回収された固体汚物及び液体汚物が収容される集塵容器と、洗浄用の液体が収納された洗浄液収容部とを備えている。
【０００３】
従来の乾湿両用電気掃除機は前記洗浄液収容部が前記集塵容器の内部に配置されていた（例えば実公平３−５０８５２号公報等参照）。前記洗浄液収容部を着脱するのに、前記集塵容器を開閉しなくてはならず、手間がかかる。また、前記集塵容器の内部に前記洗浄液収容部を配置するものの場合、前記洗浄液収容部の容量の分だけ前記集塵容器が小さくなり、内部に溜めることができる汚物の量が少なくなる。
【０００４】
そこで、前記洗浄液収容部と前記集塵容器とを完全に独立させ、前記洗浄液収容部を前記集塵容器の外部に隣接して配置する構造の乾湿両用電気掃除機が提案されている（例えば特開２００５−７４０４３号公報等参照）。前記洗浄液収容部が外部に配置されていることで、前記集塵容器の汚物を溜める容量を拡大でき、前記洗浄液収容部を取り付けるために前記集塵容器を開かなくてもすむので、それだけ手間が省ける。
【特許文献１】実公平３−５０８５２号公報
【特許文献２】特開２００５−７４０４３号公報
【発明の開示】
【発明が解決しようとする課題】
【０００５】
しかしながら、前記洗浄液収容部が前記集塵容器の外部に隣接して配置されるものの場合、前記洗浄液が充填されて重くなった前記洗浄液収容部を取り付けるときに、前記洗浄液収容部を前記台座部の前記洗浄液収容部の取付部に導くガイドとなるものが少なく、前記洗浄液収容部がふらついたり、前記乾湿両用電気掃除機のいろんな部分にぶつけてしまったりして、取り付けが危険であったり、困難であったりする場合が多い。
【０００６】
また、前記洗浄液収容部がむき出しになっており、前記乾湿両用電気掃除機が転倒した場合前記洗浄液収容部が床面に直撃してしまったり、前記集塵容器の下敷きになってしまったりする場合がある。前記洗浄液収容部は上述したように着脱して用いるものであり、少しでも重量を軽くするために薄肉の材料で形成されている。このような洗浄液収容部が床面に直撃したり、前記集塵容器の下敷きになってしまうと破損してしまい、内部の洗浄液を飛散させてしまう。
【０００７】
そこで本発明は、洗浄液が収容された洗浄液収容部を汚物を溜める集塵容器の外部に着脱可能に取り付けた乾湿両用電気掃除機であって、前記洗浄液が充満された洗浄液収容部を容易且つ安全に取り付けることができるとともに、転倒してしまった場合でも前記洗浄液収容部が破損しにくい乾湿両用電気掃除機を提供することを目的とする。
【課題を解決するための手段】
【０００８】
上記目的を達成するために本発明は、台座部と、前記台座部の上部後方より突出されたハンドルと、前記台座部の上部に保持され、上部に開口を有し固体汚物及び液体汚物を内部に蓄積するための集塵容器と、前記台座部の上部に形成された取付部に着脱自在に配置され、洗浄液が収容された洗浄液収容部と、前記集塵容器の上部開口に着脱自在に取り付けられた機器ケース部とを備えた乾湿両用電気掃除機であって、前記ハンドルは互いに平行となるように前記台座部より突出された一対の支柱部を備えており、前記支柱部が前記取付部を挟むように配置されている。
【０００９】
この構成によると、前記洗浄液収容部は前方を前記集塵容器で、両側部を前記一対の支柱部でそれぞれガイドされつつ、前記台座部に取り付けられる。これにより、前記洗浄液収容部を簡単且つ安全に前記乾湿両用電気掃除機に取り付けることが可能である。
【００１０】
上記構成において、前記機器ケース部は後部に張り出し、前記一対の支柱部の間に配置された張出部を備え、前記張出部は前記台座部に配置された前記洗浄液収容部の上端部の少なくとも一部を係合するように形成されていてもよい。
【００１１】
この構成によると、前記張出部が前記洗浄液収容部の上端部と係合するので、前記張出部が前記洗浄液収容部の位置決めを簡単に行うことが可能である。
【００１２】
上記構成において、前記張出部が前記機器ケース部に対して上下方向に摺動可能に支持されていてもよい。この構成によると、前記洗浄液収容部が前記台座部に取り付けられるときには、前記張出部が上方に退避された状態で、前記洗浄液収容部を前記台座部に取り付けるので、前記洗浄液収容部を安全且つ容易に前記台座部に取り付けることが可能である。
【００１３】
上記構成において、前記張出部は下方に突出した凸部を備えた凸ジョイントを有し、前記洗浄液収容部は上面に前記凸部と連結される凹部を備えた凹ジョイントを有し、前記洗浄液収容部が前記台座部の取付部に配置されたときに、前記凸ジョイントと前記凹ジョイントとが連結可能となるようにしてもよい。この構成によると、前記洗浄液収容部の着脱を行っている間、凸ジョイントと凹ジョイントとは、連結可能な状態にはならないので、凸ジョイント及び凹ジョイントに邪魔されることなく、前記洗浄液収容部を前記取付部に対して容易に着脱が可能である。
【００１４】
また、下側の凹ジョイントが凹部を備えているので、前記洗浄液収容部を着脱するときに、前記凸ジョイントから洗浄液が漏れた場合であっても、凹部で受けることができ、前記洗浄液が外部に漏れるのを抑制することが可能である。また、前記凸ジョイントが前記張出部に上下に摺動可能に支持されており、前記凸ジョイントが弾性部材にて下方に付勢されていてもよい。
【００１５】
上記構成において、前記凹ジョイントは前記洗浄液収容部に上下に摺動可能に支持されており、前記凹ジョイントが弾性部材にて上方に付勢されていてもよい。この構成によると、前記凹ジョイントを前記洗浄液収容部の上面より退避させた状態で前記洗浄液収容部を取り付けることができるので、邪魔になるものがなく、それだけ、容易に前記洗浄液収容部を前記台座部に取り付けることが可能である。
【００１６】
このとき、前記凹ジョイントと連結されたレバーと、手指で把持できる把持部とを備えており、前記把持部を手指で把持したときに親指でレバーを操作できるようになっているものを例示することができる。この構成によると、把持部を手指で把持し、親指でレバーを押し下げることで、前記洗浄液収容部を前記台座部に取り付けることができるので、取付が容易である。
【００１７】
上記構成において、前記台座部が前記洗浄液収容部を上方に持ち上げる持ち上げ機構を備えていてもよい。この構成によると、前記張出部と前記台座部との間に前記洗浄液収容部を容易に取り付けることができるだけの領域を確保することができるとともに、簡単な動作で前記凸ジョイントと前記凹ジョイントとを連結することが可能である。
【００１８】
持ち上げ機構としては、例えば、前記台座部の後部に配置され、後方に延びた踏み台を挙げることができる。この踏み台としては、台座部に備えられた回転軸に回転可能に支持されており、後部を下方に下げることで前部が上方に上がり、前記洗浄液収容部を持ち上げる構造のものを挙げることができる。そして、踏み込むことでロック、アンロックが交互に繰り返される構造のロック機構を備えていてもよい。
【００１９】
上記構成において、前記台座部は後部より後方に突出された踏み台を備えており、前記洗浄液収容部が前記踏み台の後方端部と前記一対の支柱部の先端とを結んだ直線よりも前方に配置されているものとしてもよい。
【００２０】
この構成によると、前記乾湿両用電気掃除機が後方に転倒し、前記洗浄液収容部が前記集塵容器の下部に配置されたとしても、前記踏み台と前記取手部とで前記乾湿両用電気掃除機が支持されるので、前記洗浄液収容部が床面に直撃されたり、前記集塵容器の下敷きになってしまったりすることを抑制することができる。
【００２１】
このことにより、前記乾湿両用電気掃除機が前記洗浄液収容部が下になるように転倒しても、前記洗浄液収容部が破損するのを抑制することができる。また、前記乾湿両用電気掃除機が斜め後方に倒れた場合であっても、前記取手部の上端部が前記洗浄液収容部の上部で前記洗浄液収容部の後方まで延設されているので、前記洗浄液収容部が床面に直撃したり、前記集塵容器の下敷きになったりすることはない。
【発明の効果】
【００２２】
本発明によると、洗浄液が収容された洗浄液収容部を汚物を溜める集塵容器の外部に着脱可能に取り付けた乾湿両用電気掃除機であって、前記洗浄液が充満された洗浄液収容部を容易且つ安全に取り付けることができるとともに、誤って前記乾湿両用電気掃除機が転倒してしまった場合でも前記洗浄液収容部が破損しにくい乾湿両用電気掃除機を提供することができる。
【発明を実施するための最良の形態】
【００２３】
本発明の最良の実施形態について図面を参照して説明する。図１は本発明にかかる乾湿両用電気掃除機の正面側から見た斜視図であり、図２は図１に示す乾湿両用電気掃除機の背面側から見た斜視図であり、図３は図１に示す乾湿両用電気掃除機の側面図であり、図４は図１に示す乾湿両用電気掃除機の背面図である。
【００２４】
図１〜図４に示すように、乾湿両用電気掃除機Ａは、台座部１を備えており、台座部１の上部には、台座部１を押すためのハンドル１１が固定されている。台座部１の上部には固体汚物及び（又は）液体汚物を蓄積するための有底円筒形状の集塵容器である集塵缶２と、被清掃部を洗浄するための洗浄液であるシャンプーを収容する洗浄液収容部であるシャンプータンク３とが着脱可能であるように保持されている。また、集塵缶２の上部は開口部が形成されており、開口部には機器ケース部４が着脱可能に嵌合されている。乾湿両用電気掃除機Ａの各構成部材について、以下で説明する。
（台座部について）
まず、台座部１について説明する。図５は図１に示す乾湿両用電気掃除機の集塵缶を取り外した状態の斜視図である。図５に示すように、台座部１は本体部１０１と、本体部１０１の上面の後方に、上面側に突出したハンドル１１と、本体部１０１の正面側に取り付けられたフロントキャスター１０２と、側方に伸びた車軸に回動可能に取り付けられた車輪１０３とを備えている。
【００２５】
フロントキャスター１０２は、本体部１００の下面に、下面と直交する軸周りに回動自在なブラケットに取り付けられた回転体である。また、車輪１０３は台座部１の前後方向にのみ回転することができるものである。フロントキャスター１０２が本体部１００の下面と直交する軸周りに回動自在に取り付けられていることで、乾湿両用電気掃除機Ａが後述する集塵缶２の嵌合部２０２に装着された吸引ホースによって引っ張られたときであっても、台座部１がその引っ張り方向に迅速に追従することができる。
【００２６】
ハンドル１１は台座部１の後部に強固に固定されているものである。ハンドル１１は台座部１の後部の左右より突出する一対の支柱部１１１と、一対の支柱部１１１の上端部を連結する連結部１１２とを有している。また、一対の支柱部１１１は台座部１から所定の距離はなれた部分で後方に屈曲している。
【００２７】
また、本体部１０１の上面部の前部は集塵缶２が着脱自在に挿入配置される凹形状の缶取付部１０４と、シャンプータンク３が着脱自在に挿入配置される凹形状のタンク取付部１０５とを備えている。タンク取付部１０５は一対の支柱部１１１が固定されている部分の間に形成されている。
【００２８】
また、台座部１タンク取付部１０５の後方には、後方に突出して形成された踏み台１０６が備えられている。踏み台１０６は先端がシャンプータンク３よりも後方に突出している。踏み台１０６が後方に突出し及び支柱部１１１が後方に曲げられ、連結部１１２が支柱部１１１に対して後方に張り出しているので、タンク取付部１０５にシャンプータンク３が取り付けられたとき、シャンプータンク３は踏み台１０６の後方に突出した先端と連結部１１２とを結んだ線より後方に張り出さない。
【００２９】
また、踏み台１０６が下方に押され、ハンドル１１１の連結部１１２が引っ張られることで、乾湿両用電気掃除機Ａは車輪１０３を支点として前部が持ち上げられる。これにより、床等に形成されている段差を乗り越えることが可能である。
（集塵缶について）
次に集塵缶２について説明する。集塵缶２は、表面に防錆処理が施された金属で形成されており、上部に開口部を有する有底円筒形状の容器であるが、これに限定されるものではない。集塵缶２の正面には貫通孔２０１が形成されており、また、外部側には図示を省略した吸引ホースが嵌入装着される嵌合部２０２が貫通孔２０１を囲むように取り付けられている。また、集塵缶２の外周部には、軸を中心として対向する位置に径方向外側に向かって突出形成された係合凸部２０３（図７参照）が備えられている。
【００３０】
集塵缶２は台座部１の缶取付部１０４に固定されるものであっても良く、着脱可能に配置されるものであってもよい。集塵缶２が台座部１の缶取付部１０４に着脱可能であり、台座部１から脱落しないように保持されているときの、集塵缶２の台座部１への取り付け、保持方法の詳細については、後述する。
（シャンプータンクについて）
次に、洗浄液を収容しておくシャンプータンク３について説明する。図６はシャンプータンクの断面図である。図５に示すように、シャンプータンク３は、台座部１の上面部に形成されたタンク取付部１０５に挿入配置されるものである。図６に示すように、シャンプータンク３は洗浄液を収容する容器であるタンクロアー３０１と、タンクロアー３０１の上部に蓋として配置されるタンクアッパー３０２とを有している。タンクロアー３０１の後部には持手部３０６が形成されている。
【００３１】
タンクアッパー３０２は、タンクの内部に洗浄液を注入するための注入口３０３と、タンクアッパー３０２に形成されているとともに、後述する凸ジョイント４２８が挿入連結される凹ジョイント３０４と、凹ジョイント３０４のタンク内部側の部分と連結された吸い上げホース３０５とを備えている。
【００３２】
凹ジョイント３０４は上部に形成されたすり鉢状部３０４１と、すり鉢状部３０４１の下部と一体的に接続された筒状部３０４２が形成されている。シャンプータンクの形状及びシャンプータンクの取り付け方法については、後述する。
（機器ケース部について）
機器ケース部４は送風機等の乾湿両用電気掃除機Ａが吸引動作を行うときに必要な機器が配置されている。以下に、機器ケース部について図面を参照して説明する。図７は図１に示す乾湿両用電気掃除機を前後に切断した断面を正面側から見た断面図であり、図８は図１に示す乾湿両用電気掃除機を左右に分断したときの側面側から見た断面図であり、図９は電気送風機の拡大断面図であり、図１０はケースアッパーを水平面で切断した断面図であり、図１１はポンプホルダの斜視図であり、図１２は図８に示す乾湿両用電気掃除機の後部を拡大した断面図である。
【００３３】
図７、図８に示すように、機器ケース部４は、集塵缶２の上部の開口に嵌合されたフィルター４０１と、後述する電動送風機４０６、シャンプーポンプ４１８等の機器が保持されたケースロアー４０２と、ケースロアー４０２の上部に係合されたケースアッパー４０３とを備えている。ケースロアー４０２及びケースアッパー４０３は図示を省略したねじ、係合爪等を用いて、互いに連結固定されている。
【００３４】
フィルター４０１は集塵缶２の内部に吸引された空気及び（又は）水に含まれた塵埃が機器ケース部４側に移動するのを抑制する部材である。フィルター４０１は、織布、不織布、スポンジ等目の細かいシートをカップ状に成形したものである。フィルター４０１はカップ形状の開口部を有しており、開口部にはパッキン４０４が取り付けられている。フィルター４０１はパッキン４０４を介して集塵缶の上部の開口に嵌合されている。ケースロアー４０２はパッキン４０４の上部に配置される。
【００３５】
ケースロアー４０２は下方に突出し、下面部に貫通孔４０５１を有する支持フレーム４０５と、ケースロアー４０２の中央に形成されている円筒形状の送風機カバー４０２１の内部に配置され、支持フレーム４０５に固定された電気送風機４０６と、シャンプータンク３の内部に蓄積されている洗浄液を吸い上げるためのシャンプーポンプ４１８と、ケースロアー４０２が集塵缶２の上部に固定されているときに正面側に配置されるとともに、床面等の被清掃部に洗浄液を供給するためのホース（不図示）が接続されるフロントジョイント４１９とを備えている。
【００３６】
支持フレーム４０５の下面部に貫通孔４０５１を覆うように固定され、電気送風機４０６が駆動され空気が吸引されたときに、フィルター４０１がケースロアー４０２に吸い寄せられ支持フレーム４０５に密着するのを抑えるためのフィルター押え部４０７が備えられている。また、送風機カバー４０２１は上下に開口を備えている。
【００３７】
図９に示すように、電気送風機４０６は、円筒形状の側面部を有する円筒形状のモータフレーム４０８と、モータフレーム４０８の下部に気密に連結固定されたファンケース４０９とを備えている。また、電気送風機４０６は、モータフレーム４０８の上部及びファンケース４０９に備えられた軸受けに回動可能に支持されている回転軸４１０と、回転軸４１０に固定されたコイルを備えるロータ４１１と、モータフレーム４０８に固定されロータ４１１のコイルと対向するステータ４１２と、回転軸４１０の上端部に固定された冷却用ファン４１３とを備えている。
【００３８】
モータフレーム４０８には、モータフレーム４０８の内部を冷却するための空気を流入させるための空気導入部材４０８１が取り付けられており、側壁部には冷却に用いられた空気が排出される貫通孔である排気孔４０８２が形成されている。電気送風機４０６が駆動され、冷却用ファン４１３が回転されることで冷却用の空気の流入が行われる。
【００３９】
ファンケース４０９は内部に集塵ファン４１４が回動自在に配置されている。また、ファンケース４０９の底面部には、集塵ファン４１４が回動されたときに、空気がファンケース４０９の内部に吸入される吸入孔４０９１が形成されている。ファンケース４０９は吸入孔４０９１が貫通孔４０５１と連通されるように、支持フレーム４０５に気密に固定されている。ファンケース４０９の側周部には、吸入孔４０９１から吸入された空気が外部に排出される排出孔４０９２が形成されている。電気送風機４０６のファンケース４０９は送風機カバー４０２１と気密に連結されている。送風機カバー４０２１はモータフレーム４０８と支持フレーム４０５との間に配置されている。
【００４０】
ケースロアー４０２には、モータフレーム４０８と送風機カバー４０２１の間隙に形成され、排気孔４０８２より排出された空気が流動する冷却流路４１６と、送風機カバー４０２１と支持フレーム４０５との間隙に形成され、排出孔４０９２より排出された空気が流動する排気流路４１７とを備えている。
【００４１】
なお、冷却流路４１６と排気流路４１７とは送風機カバー４０２１によって互いに独立して形成されている。これにより、通常圧力の高くなる集塵用ファン４１４による気流が冷却流路４１６に流入し、冷却流路４１６を逆流して湿度の高い空気が電動送風機４０６の内部に流入するのを防ぐことができる。水分による電動送風機４０６内部のショートやさびの発生による動作不良を抑制することができる。冷却流路４１６及び排気流路４１７の詳細については、後述する。
【００４２】
図１０に示すように、ケースロアー４０２の上部には洗浄液を送出するためのシャンプーポンプ４１８が固定されたポンプ固定部４２０と、シャンプーポンプ４１８の両端に配置され水密なリブで囲まれた分離部４２１とが形成されている。また、ポンプ固定部４１９及び分離部４２１の上部を覆うようにポンプホルダ４２２が固定されている（図１１参照）。
【００４３】
シャンプーポンプ４１８には、後述の凸ジョイント４２６と接続された吸込側パイプ４２３と、フロントジョイント４１９と接続された創出側パイプ４２４とを備えている。シャンプーポンプ４１８が駆動されることで、吸込側パイプ４２３及び凸ジョイント４２６を介して、シャンプータンク３より洗浄液を吸引する。それと同時に、吸引された洗浄液は送出側パイプ４２４を介してフロントジョイント４１９に送出される。吸込側パイプ４２３及び送出側パイプ４２４とシャンプーポンプ４１８は分離部４２１の内部で連結されている。
【００４４】
ポンプホルダ４２２には、分離部４２１と密着する蓋部が形成されており、ポンプホルダ４２２をケースロアー４０２に取り付け、ねじ等の締結具で締め付けることで、分離部４２１を水密な空間とすることができる。ポンプホルダ４２２の上部には、冷却流路４１６の一部が形成されている。冷却流路４１６に冷却空気が流通されることで、電動送風機４０６の内部が冷却されるとともに、シャンプーポンプ４１８の補器類も同時に冷却することができる。
【００４５】
吸込側パイプ４２３及び（又は）送出側パイプ４２４とシャンプーポンプ４１８との接続が不十分で洗浄液が漏れた場合であっても、洗浄液が分離部４２１に溜まるので、電動送風機４０６、シャンプーポンプ４１８等に含まれる電気回路に水分が浸入して、ショートするのを抑制することができる。また、分離部４２１には、ケースロアー４０２の外部に貫通した漏洩孔４２１１が形成されている。漏洩孔４２１１より洗浄液が外部に漏れることで、分離部４２４からあふれ出るのを抑制するとともに、漏れ出た洗浄液を確認することでユーザが洗浄液の漏洩の発生を迅速に認識することができる。
【００４６】
さらに、図１２に示すように、ケースロアー４０２は後部に張り出した張出部４２５を備えている。図２、図４等に示すように、張出部４２５はハンドル１１の支柱部１１１の間に配置されている。張出部４２５には上下方向に摺動可能に支持された凸ジョイント４２６が備えられている。凸ジョイント４２６は、中央に先端が突出した管状部４２６１と、管状部４２６１の上部に形成され摺動を規制する規制部４２６２と、管状部４２６の外部に取り付けられたフランジ部４２６３と、管状部４２６１の周囲にまきまわされた弾性部材であるコイルばね４２７とを有している。
【００４７】
凸ジョイント４２６は、張出部４２５に形成された孔に挿入されており、規制部４２６２が張出部４２５の上部より突出している。また、張出部４２５の下面とフランジ部４２６３との間にコイルばね４２７が配置されており、凸ジョイント４２６はコイルばね４２７の弾性力によって下方に付勢されている。また、規制部４２６２が上部に引き上げられることで、コイルばね４２７の弾性力に反して凸ジョイント４２６が持ち上られる。凸ジョイント４２６の管状部４２６１は吸入側パイプ４２３が連結されている。
【００４８】
図８、図１２に示すように、ケースロアー４０２の後部には、集塵排気が通過する排気流路４１７と連結され、排気を外部に排出する排気口４２８が形成されている。排気流路４１７は集塵ファン４１４にて吸引された空気が流れている。排気流路４１７の上部には、ホースが接続され、ホースに空気を送出するための送出口４１７１と、送出口４１７１又は排気口４２８のどちらか一方に選択的に空気を流通させる切替弁４１７２とが備えられている。
【００４９】
図１２に示すように、排気流路４１７は排気が排気口４２８に向かうとともに、張出部４２５に排気を流入させる流入孔４２５１と、排気が外部に排出される排気孔４２５２とを有している。排気が排気口４２８及び張出部４２５に分散されて排出されることで、排気流量を分散することができ、排気音を低減することができる。また、排気の大半が排気口４２８より排出される場合、排気口４２８に流体抵抗となるフィルターを取り付けてもよい。なお、張出部の形状については、種々の異なる構成のものが存在するが、異なる構成のものの詳細については、後述する。
【００５０】
ケースアッパー４０３はケースロアー４０２の上部に嵌合され、ボルト、係合爪等の係合部材で固定される蓋状の部材である。図７に示すように、ケースアッパー４０３の天面は中心が高くなるように形成されており、中央部には、下方に向かって絞られ、中間部が内部に貫通されて形成されている絞り部４２９を備えている。また、天面の中央には、絞り部４２９の上部を覆うように形成された蓋状部４３０が形成されている。なお、蓋状部４３０はケースアッパー４０３と着脱可能であっても良く、固定されていてもよい。また、ケースアッパー４０３に一体に形成されるものであってもよい。蓋状部４３０は天面部を備えた円筒形状を有しており、円筒形状の側周部には吸気口４３１が形成されている。
【００５１】
図７に示すように、ケースアッパー４０３をケースロアー４０２の上部に嵌合させたときに、絞り部４２９の下端部が、ケースロアー４０２の送風機カバー４０２１と気密に連結されている。なお、絞り部４２９と送風機カバー４０２１との間には、気密に連結させるためのパッキンが取り付けられていてもよい。
【００５２】
絞り部４２９の最も外側の部分が吸気口４３１よりも高くなるように形成されている。このように形成されていることで、ケースアッパー４０３の上部より水をかぶり吸気口４３１より水が浸入した場合でも、吸気口４３１から絞り部４２９の最も外側の部分までが登り傾斜で形成されているので、絞り部４２９より内部に水が浸入しにくい。これにより、絞り部４２９の下部に配置された電動送風機４０６の内部に水が流入するのを抑制している。
【００５３】
また、ケースアッパー４０３の側周部には、集塵缶２に形成されている係合凸部２０３と係合し、機器ケース部４を集塵缶２の開口部に固定するためのクランプ４３２が備えられている。クランプ４３２は下部を係合凸部２０３と係合させ、上方に回動させることで、集塵缶２と機器ケース部４とを強固に固定することができる、従来より、よく知られた係合部材である。機器ケース部４が集塵缶２にクランプ４３２で固定されることで、機器ケース部４のケースロアー４０２が集塵缶２の上部の開口に押し付けられる。これにより、パッキン４０４が集塵缶２の開口及びケースロアー４０２と圧着され、ケースロアー４０２と集塵缶２の開口との間が気密及び水密な状態になる。
【００５４】
乾湿両用電気掃除機Ａの動作について説明する。電動送風機４０６が駆動されると、集塵ファン４１４が回動され、集塵缶２１の貫通孔２０１から外部の空気が吸入される。貫通孔２０１より吸入された空気はフィルター４０１を通過する。このとき、空気に水分が含まれている場合、水分は集塵缶２の内部に収容される。また、空気に含まれている塵埃はフィルター４０４に捕集され、集塵缶２の内部に蓄積される。フィルター４０４を通過した空気及び（又は）湿度の高い空気が支持フレーム４０５の貫通孔４０５１と連通されたファンケース４０９の吸入孔４０９１からファンケース４０９内部に吸入される。
【００５５】
ファンケース４０９に流入した空気は、ファンケース４０９の側周部に形成されている排出孔４０９２から排出され、排気流路４１７に流入する。排気流路４１７に流入した空気は、排気流路４１７内部を流動し、一部は排気口４２８より外部に排出される。また、残りの空気は流入孔４２５１を通って張出部４２５に流入し、張出部４２５に形成されている排気孔４２５２より外部に排出される。
【００５６】
一方、電動送風機４０６が駆動されることで、冷却用ファン４１３も駆動される。冷却用ファン４１３が駆動されることで、吸気口４３１より乾燥した空気が吸気される。吸気口４３１より吸気された空気は、絞り部４２９を通過し、吸気孔４０８１を通過して電動送風機４０６の内部に流入する。電動送風機４０６の内部は駆動により発熱するものであり、空気が流入することで冷却される。電動送風機４０６を冷却した空気は、モータフレーム４８の側周部に形成された排気孔４０８２より冷却流路４１６に流入する。冷却流路４１６がポンプホルダ４２２の上部の一部を通過するので、空気が冷却流路４１６を通過するときに、シャンプーポンプ４１８の補器類も冷却する。
（シャンプータンクの他の例及びシャンプータンクの取付方法）
シャンプータンク及びシャンプータンクの取付方法の複数の実施形態について、それぞれ、図面を参照して説明する。図１３は図１に示す乾湿両用電気掃除機のシャンプータンクを着脱するときの側面図であり、図１４は図１に示す乾湿両用電気掃除機が後方に倒れたときの側面図であり、図１５は図１に示す乾湿両用電気掃除機が側方に倒れたときの背面図である。
【００５７】
図１３に示すように、シャンプータンク３の下部を一対の支柱部１１１の間に配置し、下部を支柱部１１１に沿わせるように下方に移動させる。これにより、シャンプータンク３は下面の前方が集塵缶２に、両側方が支柱部１１１に、それぞれ、規制された状態で取り付けが行われる。なお、ハンドル１１の支柱部１１１の間の距離は、シャンプータンク３を着脱するときにシャンプータンク３の側部がガイドされる程度の長さで形成されている。これにより、シャンプータンク３は容易に台座部１のタンク取付部１０５に取り付けられる。
【００５８】
シャンプータンク３は下面を台座部１のタンク取付部１０５に挿入されるとともに、タンクアッパー３０２が機器ケース部４の張出部４２５の下方に位置するように移動される。このとき、凸ジョイント４２６は規制部４２６２が持ち上げられて、管状部４２６１が上方に移動した状態になっている。シャンプータンク３は管状部４２６が上部に移動された状態で取り付けられることで、管状部４２６がシャンプータンク３のタンクアッパー３０２と干渉するのを抑制し、シャンプータンク３を容易且つ円滑にタンク取付部１０５に挿入配置することができる。これにより、洗浄液が満たされた重量物であるシャンプータンク３を取り付けるときに、タンクアッパー３０２が管状部４２６と接触し、管状部４２６が破損するのを抑制することができる。
【００５９】
そして、シャンプータンク３がタンク取付部１０５への挿入配置された後に、規制部４２６２に作用している力を取り除く。これにより、管状部４２６がコイルばね４２７の弾性力により下方に移動し、凸ジョイント４２６はタンクアッパー３０２に形成されている凹ジョイント３０４と水密に連結される。
【００６０】
凸ジョイント４２６が下方に移動し、凹ジョイント３０４と係合されるので、シャンプータンク３のタンク取付部１０５にずれて挿入配置され、凸ジョイント４２６と凹ジョイント３０４との中心軸がずれている場合、凸ジョイント４２６の管状部４２６１が凹ジョイント３０４のすり鉢状部３０４１と接触する。凸ジョイント４２６の環状部４２６１が下方に移動するときにすり鉢状部３０４１が押され、シャンプータンク３が移動し、凸ジョイント４２６と凹ジョイント３０４とが水密に連結される。
【００６１】
図１４に示すように、シャンプータンク３は台座部１のタンク取付部１０５に取り付けられたときに、踏み台１０６の先端とハンドル１１の連結部１１２を結んだ線（図１４にＬ１で示す）から突出する部分がないように形成されている。このように構成されている乾湿両用電気掃除機Ａが後方に転倒した場合であっても、シャンプータンク３が床面に直撃されるのを抑制することができる。また、図１５に示すように乾湿両用電気掃除機Ａが側方或いは斜め後方に転倒した場合であっても、ハンドル１１の支柱部１１１又は連結部１１２が最初に床面と接触し、シャンプータンク３が床面に直撃されるのを抑制することが可能である。
【００６２】
乾湿両用電気掃除機Ａはそれ自体の重量や、集塵缶２に吸い込まれた固体汚物及び（又は）液体汚物の重量で重量が増している。乾湿両用電気掃除機が倒れたときにシャンプータンク３が床面に直撃され、乾湿両用電気掃除機Ａの下敷きになると、シャンプータンク３が破損してしまう可能性が高いが、上述のように、乾湿両用電気掃除機Ａが倒れてもシャンプータンク３が床面と直撃しないので、シャンプータンク３が破損するのを抑制することができる。また、乾湿両用電気掃除機Ａが倒れた場合であっても、シャンプータンク３が破損するのを抑制することができるので、シャンプータンク３を薄い部材で形成することができ、シャンプータンク３を軽量化することができ、シャンプータンク３の台座部１への取り付け作業の労力を低減することができる。また、シャンプータンク３を製造するための材料を減らすことができ、それだけ、省エネルギ化が可能である。
【００６３】
次に、機器ケース部とシャンプータンクとを係合する方法の異なる例を図面を参照して説明する。図１６は本発明にかかる乾湿両用電気掃除機の他の例の斜視図であり、図１７は図１６に示す乾湿両用電気掃除機の平面図であり、図１８は図１６のシャンプータンクと機器ケース部との係合部分を拡大した断面図である。図１６に示す乾湿両用電気掃除機Ｂは張出部が異なる以外は乾湿両用電気掃除機Ａと同じ構造を有するものであり、実質上同じ部分には同じ符号が付してある。
【００６４】
乾湿両用電気掃除機Ｂは、張出部４２５に変えて、張出部６２５を備えた機器ケース部６を有している。機器ケース部６は、ケースロアー６０２の外部の左右にガイド部材６３５が形成されている。ガイド部材６３５は上下方向に伸びる貫通孔６３６を備えている。張出部６２５の外側にはリブ６３７が形成されており、リブ６３５を貫通孔６３６に貫通させることで、張出部６２５がケースロアー６０２に摺動可能に支持される。張出部６２７の下面とケースロアー６０２との間に弾性部材であるコイルばね６３８が備えられている。コイルばね６３８が備えられていることで、張出部６２５が上方に付勢されている。
【００６５】
張出部６２５には凸ジョイント６２６が取り付けられている。凸ジョイント６２６は張出部６２５に固定されており、下方に向かって管状部６２６１が突出されている。図１８に示すように、張出部６２５の後方端部には下方に伸び前方に屈曲した係合爪６３９が形成されている。一方で、シャンプータンク３のタンクアッパー３０２の後部には、前後方向に摺動可能且つ後方に付勢されているとともに、係合爪６３９と係合することができる摺動爪３０７が形成されている。
【００６６】
図１８に示すように、張出部６２５が最も上部に配置されているときに、シャンプータンク３は、凸ジョイント６２６に邪魔されることなく、台座部１のタンク取付部１０５に挿入配置できる。タンク取付部１０５にシャンプータンク３が取り付けられた状態で、張出部６２５が下方に移動されると、凸ジョイント６２６の管状部６２６１がシャンプータンク３の凹ジョイント３０４に水密に連結される。このとき、コイルばね６３８は圧縮され、係合爪６３９と摺動爪３０７とが係合される。これにより、張出部６２５は上方への摺動を抑制される。
【００６７】
シャンプータンク３が台座部１のタンク取付部１０５に対してずれて配置され、凸ジョイント６２６と凹ジョイント３０４の中心軸がずれていても、凸ジョイント６２６の管状部６２６１が凹ジョイント３０４のすり鉢状に形成されている部分を押す。これにより、シャンプータンク３がずれて、凸ジョイント６２６と凹ジョイント３０４とが正確に連結される。
【００６８】
摺動爪３０７が押され、係合爪６３９との係合がはずれることで、張出部６２６はコイルばね６３８が復元する力で上方に移動し、凸ジョイント６２６と凹ジョイント３０４との係合が外れる。張出部６２５が上方に移動されることで、管状部６２６１が上部に退避する。
【００６９】
以上のように、張出部６２５が上部に移動することで、管状部６２６１が退避するので、シャンプータンク３を着脱するときに、管状部６２６１の先端が邪魔にならない。これにより、シャンプータンク３のタンク取付部１０５への挿入配置が容易である。張出部６２５はコイルばね６３８の力で常に上部に移動しているので、シャンプータンク３をタンク取付部１０５に挿入配置するときに、張出部６２５を操作しなくてもよい。これにより、シャンプータンク３を両手でタンク取付部１０５に安定して且つ円滑に挿入配置することが可能である。
【００７０】
次に、機器ケース部とシャンプータンクとを係合する方法のさらに異なる例を図面を参照して説明する。図１９は本発明にかかる乾湿両用電気掃除機の機器ケース部にシャンプータンクを係合させる前の拡大断面図であり、図２０は図１９に示す乾湿両用電気掃除機の機器ケース部にシャンプータンクを係合させた状態の拡大断面図である。図１９に示す乾湿両用電気掃除機Ｃはシャンプータンク７が異なる以外は図１等に示す乾湿両用電気掃除機Ａと同じ構成を有しており、実質上同じ部分には同じ符号が付してある。
【００７１】
図１９、図２０に示すように、乾湿両用電気掃除機Ｃのシャンプータンク７は、タンクアッパー７０２の上部に上下に摺動可能に支持された凹ジョイント７０４と、タンクロアー７０１の後部に連結された持手部３０６と、凹ジョイント７０４を上方に付勢する弾性部材であるコイルばね７０８と、凹ジョイント７０４と接続され、持手部３０６の上部に配置された押しレバー７０９とを有している。
【００７２】
押しレバー７０９が下方に押されることで、コイルばね７０８が圧縮されつつ、凹ジョイント７０４が下方に移動する。このとき、凹ジョイント７０４と凸ジョイント４２６とは係合しない。これにより、また、タンクアッパー７０２には、シャンプータンク７を取り付けるときに、凸ジョイント４２６が接触しないようにするための切り欠きが形成されている。これにより、シャンプータンク７を着脱するときに、タンクアッパー７０２及び凹ジョイント７０４は凸ジョイント４２６と接触せず、円滑且つ簡単にタンク取付部１０５に対して着脱することが可能である。また、シャンプータンク７がタンク取付部１０５に挿入配置された状態で、押しレバー７０９に作用している下方への力が取り除かれると凹ジョイント７０４はコイルばね７０８が復元しようとする力に押されて、上方へ移動する。これにより、凹ジョイント７０４は凸ジョイント４２６と連結される。
【００７３】
通常、ユーザは持手部３０６を把持したとき、親指が上部にくる。親指によって押しレバー７０９を操作することができ、ユーザは片手で容易にシャンプータンク７をタンク取付部１０５に挿入配置することができる。また、シャンプータンク７が重い場合、把持しているのと他方の手でシャンプータンク７を支持することができるので、安定してシャンプータンク７をタンク取付部１０５に挿入配置することが可能である。
【００７４】
次に、機器ケース部とシャンプータンクとを係合する方法のさらに異なる例を図面を参照して説明する。図２１は本発明にかかる乾湿両用電気掃除機の機器ケース部にシャンプータンクを係合させる前の拡大断面図であり、図２２は図２１に示す乾湿両用電気掃除機の機器ケース部にシャンプータンクを係合させた状態の拡大断面図である。図２１等に示す乾湿両用電気掃除機Ｄは台座部１２の踏み台１２０が異なる以外は、図１に示す乾湿両用電気掃除機Ａと同じ構成を有しており、実質上同じ部分には同じ符号が付してある。なお、シャンプータンクは長さが異なるが、構成が同じものであるので同じ符号を用いて説明する。
【００７５】
乾湿両用電気掃除機Ｄの踏み台１２０は中間部を回動可能に支持されるとともに、後部１２２が下がると前部１２１が上がるように形成されている。図２１に示す踏み台１２０には後部１２２が水平面に対して所定の角度を成すまで踏み込んだときに、ロックされ、その状態で再度踏み込まれることでロックが解除される、従来良く知られたロック機構が取り付けられている。
【００７６】
図２１に示すように、ロックされていない状態の踏み台１２０は前部１２１がタンク取付部１０５内に配置されているとともに、本体が水平となることが可能である。この状態で、シャンプータンク３がタンク取付部１０５に挿入配置される。シャンプータンク３がタンク取付部１０５に挿入配置された状態のとき、踏み台１２０の前部１２１の上部がシャンプータンク３の下面３００と接触配置されている。そして、後部１２２を押し下げる（通常は足踏みによる）ことで、前部１２１が持ち上げられる。これにより、シャンプータンク３が持ち上げられ、タンクアッパー３０２が機器ケース部４の張出部４２５に外嵌されるとともに、タンクアッパー３０２に形成されている凹ジョイント３０４が機器ケース部４の凸ジョイント４２６と係合される。この構成によると、ユーザはシャンプータンク３の取付のときに両手でシャンプータンク３を保持することができるので、シャンプータンク３を安定的且つ容易に取り付けることができる。
【００７７】
乾湿両用電気掃除機では、シャンプータンクに収容された洗浄液を床、カーペット等の被清掃部に吹き付け、汚れを浮き立たせた後に、洗浄液を汚れとともに吸引することで清掃を行うものである。通常、部屋が変わると床の材質が変わる場合も多い。床の材質が異なる場合、洗浄液を変えなくてはならず、そのたびにシャンプータンクを取り替えるのでは効率が悪い。そこで、図２３はシャンプータンクの他の例の断面図である。
【００７８】
図２３に示すように、シャンプータンク３１は内部に第１収容部３１１と、第２収容部３１２とを有しており、それぞれ、独立した領域となっている。この独立した領域それぞれに、吸い上げホース３１３、３１４が挿入されている。また、シャンプータンク３１の凹ジョイント３０４には、二股に分かれた二股ホース３１５が取り付けられており、二股ホース３１５は、切替弁３１６と接続されている。また、吸い上げホース３１３、３１４も切替弁３１６に取り付けられている。また、第１収容部３１１に洗浄液を注入するための注入口３１７と、第２収容部３１２に洗浄液を注入するための注入口３１８を備えている。
【００７９】
切替弁は第１の状態（図２３に示すの状態）第１収容部３１１に挿入された吸い上げホース３１３と二股ホース３１５とが接続されており、第１収容部３１１に収容されている洗浄液が吸い上げられて、床面に噴射される。また、第１の状態より切替弁３１６を９０度まわした第２の状態のときには、第２収容部３１２に挿入された吸い上げホース３１４が二股ホース３１５と接続され、第２収部３１２に収容されている洗浄液が吸い上げられ、床面に噴射される。以上のように、２種類の洗浄液を切替弁３１６を切り替えるだけで種類の異なる洗浄液を選択することができる。これにより、異なる材質の床の掃除においても、その都度シャンプータンクを取り替えなくてもよく、それだけ作業効率がよい。
【００８０】
なお、切替弁３１５は、シャンプータンク３１の外面に形成されたつまみをひねることで切替られるものを例示できる。また、回転にて切替るものではなく、スライドによって切替られるものであってもよい。また、上記例では、タンクは２つの領域に分けられていたが、それに限定されるものではなく、さらに多数の領域に分けられていてもよい。２種の洗浄液としてはここでは、シャンプー液と水を挙げることができる。
（集塵缶の台座部への取付方法について）
乾湿両用電気掃除機では、集塵缶の内部に溜まった固体汚物や液体汚物を排出するときに、集塵缶を台座部より取り外して、集塵缶をひっくり返し、集塵缶の内部に溜まった固体汚物及び（又は）液体汚物を廃棄する。集塵缶は乾湿両用電気掃除機にて掃除を行うときは台座部にしっかり保持され、内部に溜まった汚物を廃棄するときは台座部より容易に取り外されるものが好ましい。そこで、集塵缶の台座部への好ましい取付方法について図面を参照して説明する。
【００８１】
図２４は集塵缶を保持した状態の乾湿両用電気掃除機の正面図であり、図２５は図２４に示す乾湿両用電気掃除機の機器ケース部を取り外した状態の側断面図であり、図２６は台座部より集塵缶を取り外した状態の側断面図である。なお、図２４に示す乾湿両用電気掃除機Ｅは集塵缶２１の前部に突起２１１が、台座部１３の前部にクランプ１３１が形成されている以外は、図１等に示す乾湿両用電気掃除機Ａと同じ構成であり、実質上同じ部分には、同じ符号が付してある。
【００８２】
図２４、図２５に示すように、クランプ１３１は、軸１３０中心に前方に向かって倒れるように回動するクランプフック１３２と、クランプフック１３２を付勢する弾性部材であるばね１３３とを備えている。クランプフック１３２は集塵缶２１の前部に形成された突起２１１が係合する係合凹部４２４を備えている。クランプフック１３２はばね１３３の弾性力によって軸１３０回りに後方に回転するように付勢されている。
【００８３】
図２５に示すように、集塵缶２１の前部に備えられた突起２１１は下部に備えられ上方に向かって離れるように傾斜した傾斜部２１２と、上部に備えられ上端部が集塵缶２１外面と直交する直立部２１３とを有している。傾斜部２１２と直立部２１３とは一体的に連結されている。
【００８４】
図２５に示すように、集塵缶２１が台座部１３に保持されているときは、クランプフック１３２の係合凹部１３４と集塵缶２１の突起２１１とが係合している。このとき、突起２１１の直立部２１３と係合凹部１３４の内壁とが当接しており、集塵缶２１を上方へ持ち上げても、係合凹部１３４と突起２１１との係合は外れない。これにより、集塵缶２１を台座部４２に載置した状態で清掃を行う間は、集塵缶２１は台座部１３にしっかり保持される。
【００８５】
また、図２６に示すように、クランプフック１３２の前部を下方へ押し下げることで、クランプフック１３２の後部が斜め上方に移動する。これにより、クランプフック１３２と突起２１１との係合が外れるとともに、クランプフック１３２と集塵缶２１の壁面との間には、突起２１１が通過できる隙間ができる。この状態で、集塵缶２１を持ち上げることで、集塵缶２１を容易に台座部１３より取り外すことが可能である。また、取り外された集塵缶２１を台座部１３に取り付ける場合、集塵缶２１を突起２１１とクランプ１３１とが上下に並ぶように配置し、上方から押し込めばよい。集塵缶２１が下方に移動するにつれて、クランプフック１３２が突起２１１の傾斜部２１２に押されて前方に回動し、クランプフック１３２の係合凹部１３４と突起２１１とが係合され、集塵缶２１が台座部１３に保持される。
【００８６】
乾湿両用電気掃除機では、集塵缶２１の前部に固体汚物や液体汚物を吸引する吸引ホース（不図示）が取り付けられる。乾湿両用電気掃除機において、清掃作業中は吸引ホースに引っ張られて移動することが多く、前部に配置されたクランプ１３１が障害物と接触することが少なく不意に集塵缶２１が外れてしまう不具合が発生しにくい。また、クランプフック１３２の前部を下方に押すことで回動する構造であるので、ユーザは集塵缶２１を取り外すときに、クランプフック１３２を踏むことでクランプ１３１と突起２１の係合を外すことができる。これにより、ユーザは固体汚物や液体汚物が溜まった集塵缶２１を両手で取り外すことができるので、簡単且つ安全に作業することができる。
【００８７】
集塵缶の台座部への好ましい取付方法の他の例について図面を参照して説明する。図２７は集塵缶が保持された状態の乾湿両用電気掃除機の側面図であり、図２８は台座部に集塵缶のみが取り付けられている状態の乾湿両用電気掃除機を中央で切断したときの側方から見た断面図であり、図２９は台座部に集塵缶のみが取り付けられている状態の乾湿両用電気掃除機を中央で切断したときの前方から見た断面図であり、図３０は集塵缶を取り外した状態の側断面図であり、図３１は集塵缶を取り外した状態の正面側断面図である。なお、乾湿両用電気掃除機Ｆにおいて、集塵缶２２の突起２２１と、台座部１４のクランプ１４１以外は図１等に示す乾湿両用電気掃除機Ａと同じ構成を有しており、実質上同じ部分には、同じ符号が付してある。
【００８８】
図２７、図２８、図２９に示すように、クランプ１４１は台座部１４の前部及び両側部に配置されている。また、集塵缶２２の前部及び両側部にはクランプ１４１と係合される突起２２１が形成されている。突起２２１は外部に突出された突起である。集塵缶２２の両側部の突起２２１は、前部に配置された突起２２１から、集塵缶２２の中心軸を中心とする中心角度が左右９０度となる位置に配置されている。
【００８９】
図３０、図３１に示すように、クランプ１４１は台座部１４より集塵缶２２と接触しないように上方に突出した基部１４２と、基部１４２の上部に、基部１４２と回動可能となるように連結されたリンク１４３と、リンク１４３の先端と回動可能となるように連結された係合部材１４４とを備えている。係合部材１４４は先端に内側に曲がって形成された鉤爪部１４５を有している。図２８、図２９に示すように、鉤爪部１４５は集塵缶２２の突起２２１と係合されるものである。
【００９０】
集塵缶２２の突起２２１に鉤爪部４３５を係合させ、係合部材１４４の下部を集塵缶２２の方に押すことで固定される。このとき、係合部材１４４は鉤爪部１４５と突起２２１との係合部を中心に、リンク１４３は基部１４２との連結部を中心にそれぞれ回動するものである。係合部材１４４のリンク１４３との連結部は鉤爪部１４５と突起２２１との係合部を中心に回動する場合と、リンク１４３と基部１４２との連結部を中心に回動する場合とで、軌跡が異なる。リンク１４３と基部１４２との連結部を中心に回動されたときの方が、到達位置が近い。この軌跡の差によって、係合部材１４４は引っ張られ、リンク４１４３は圧縮される。この係合部材１４４に働く引張り力によって、集塵缶２２の突起２２１は係合部材１４４にしっかり保持される。
【００９１】
このように、集塵缶２２と台座部１４とを固定するクランプ１４１を３箇所に設けていることで、より安定して集塵缶２２を台座部１４に保持させることが可能である。なお、本例においては、側部のクランプが前部のクランプに対して、集塵缶の中心軸を中心とした中心角度が９０度となるように配置されているが、それに限定されるものではない。しかしながら、安定した保持、作業の利便性等を考慮すると、前部のクランプを中心に対称の位置に形成されていることが好ましい。また、クランプの数は３個に限定されるものではなく、集塵缶をしっかり保持できる数のクランプが備えられていればよい。
（集塵缶の他の例）
集塵缶は内部に溜まった固体汚物及び（又は）液体汚物を廃棄するときに、台座部より持ち上げられる。このとき、ユーザは持ち上げるための手がかりとなるものが必要である。図３２は集塵缶の一例の側面図であり、図３３は集塵缶の他の例の側面図及び平面図である。
【００９２】
図３２に示すように、集塵缶２２は側面に上方に向かって回動し、開口の上部に移動することができる把持部２２２を備えていてもよい。この把持部２２２は集塵缶２２が台座部に取り付けられているときは、前方に回動されており、シャンプータンクや機器ケース部の取り付けの邪魔にならない。また、大幅に出っ張ったものではないので、清掃中も邪魔にならない。そして、上方に回動させることで、把持部２２２を持ち上げることで集塵缶２２を容易に台座部より取り外すことが可能である。
【００９３】
また、図３３に示すように、集塵缶２２の側部に手指を挿入することができるループ状の把持部２２３が左右１個ずつ形成されていてもよい。把持部２２３が左右に形成されていることで、ユーザは両手で集塵缶２４を持つことができるので、簡単且つ安全に集塵缶２２を着脱することが可能である。
【００９４】
上記実施形態の説明は、本発明を説明するためのものであって、特許請求の範囲に記載の発明を限定し、或は範囲を減縮する様に解すべきではない。本発明の各部構成は上記実施形態に限らず、特許請求の範囲に記載の技術的範囲内で種々の変形が可能であることは勿論である。
【産業上の利用可能性】
【００９５】
本発明は、シャンプータンクを集塵缶の外部に着脱できる乾湿両用電気掃除機に採用することができる。
【図面の簡単な説明】
【００９６】
【図１】本発明にかかる乾湿両用電気掃除機の正面側から見た斜視図である。
【図２】図１に示す乾湿両用電気掃除機の背面側から見た斜視図である。
【図３】図１に示す乾湿両用電気掃除機の側面図である。
【図４】図１に示す乾湿両用電気掃除機の背面図である。
【図５】図１に示す乾湿両用電気掃除機の集塵缶を取り外した状態の斜視図である。
【図６】シャンプータンクの断面図である。
【図７】図１に示す乾湿両用電気掃除機を前後に分断した断面を正面側から見た断面図である。
【図８】図１に示す乾湿両用電気掃除機を左右に分断したときの側面側から見た断面図である。
【図９】電気送風機の拡大断面図である。
【図１０】ケースアッパーを水平面で切断した断面図である。
【図１１】ポンプホルダの斜視図である。
【図１２】図１０に示す乾湿両用電気掃除機のケースロアー後部を拡大した断面図である。
【図１３】図１に示す乾湿両用電気掃除機のシャンプータンクを取り付けるときの側面図である。
【図１４】図１に示す乾湿両用電気掃除機が後方に倒れたときの側面図である。
【図１５】図１に示す乾湿両用電気掃除機が側方に倒れたときの背面図である。
【図１６】本発明にかかる乾湿両用電気掃除機の他の例の斜視図である。
【図１７】図１６に示す乾湿両用電気掃除機の平面図である。
【図１８】図１６のシャンプータンクと機器ケース部との係合部分を拡大した断面図である。
【図１９】本発明にかかる乾湿両用電気掃除機の機器ケース部にシャンプータンクを係合させる前の拡大断面図である。
【図２０】図１９に示す乾湿両用電気掃除機の機器ケース部にシャンプータンクを係合させた状態の拡大断面図である。
【図２１】本発明にかかる乾湿両用電気掃除機の機器ケース部にシャンプータンクを係合させる前の拡大断面図である。
【図２２】図２１に示す乾湿両用電気掃除機の機器ケース部にシャンプータンクを係合させた状態の拡大断面図である。
【図２３】シャンプータンクの他の例の断面図である。
【図２４】集塵缶を保持した状態の乾湿両用電気掃除機の正面図である。
【図２５】図２４に示す乾湿両用電気掃除機の機器ケース部を取り外した状態の側断面図である。
【図２６】台座部より集塵缶を取り外した状態の側断面図である。
【図２７】集塵缶が保持された状態の乾湿両用電気掃除機の側面図である。
【図２８】台座部に集塵缶のみが取り付けられている状態の乾湿両用電気掃除機を中央で切断したときの側方から見た断面図である。
【図２９】台座部に集塵缶のみが取り付けられている状態の乾湿両用電気掃除機を中央で切断したときの前方から見た断面図である。
【図３０】集塵缶を取り外した状態の側断面図である。
【図３１】集塵缶を取り外した状態の正面側断面図である。
【図３２】集塵缶の一例の側面図である。
【図３３】集塵缶の他の例の側面図及び平面図である。
【符号の説明】
【００９７】
Ａ  乾湿両用電気掃除機
１  台座部
１０１  本体部
１０２  フロントキャスター
１０３  車輪
１０４  缶取付部
１０５  タンク取付部
１０６  踏み台
１１  ハンドル
１１１  支柱部
１１２  連結部
１２  台座部
１２０  踏み台
１２１  前部
１２２  後部
１３  台座部
１３０  軸
１３１  クランプ
１３２  クランプフック
１３３  ばね
１３４  係合凹部
１４  台座部
１４１  クランプ
１４２  基部
１４３  リンク
１４４  係合部材
１４５  鉤爪部
２  集塵缶
２０１  貫通孔
２０２  嵌合部
２０３  係合凸部
２１  集塵缶
２１１  突起
２１２  傾斜部
２１３  直立部
２２  集塵缶
２２１  突起
３  シャンプータンク
３０１  タンクロアー
３０２  タンクアッパー
３０３  注入口
３０４  凹ジョイント
３０４１  すり鉢状部
３０４２  筒状部
３０５  吸い上げホース
３０６  持手部
３０７  摺動爪
３１  シャンプータンク
３１１  第１収容部
３１２  第２収容部
３１３  吸い上げホース
３１４  吸い上げホース
３１５  二股ホース
３１６  切替弁
４  機器ケース部
４０１  フィルター
４０２  ケースロアー
４０３  ケースアッパー
４０４  パッキン
４０５  支持フレーム
４０５１  貫通孔
４０６  電気送風機
４０７  フィルター押え部材
４０８  モータフレーム
４０８１  吸気孔
４０８２  排気孔
４０９  ファンケース
４０９１  吸入孔
４０９２  排出孔
４１０  回転軸
４１１  ロータ
４１２  ステータ
４１３  冷却用ファン
４１４  集塵ファン
４１５  送風機カバー
４１６  冷却流路
４１７  排気流路
４１８  シャンプーポンプ
４１９  フロントジョイント
４２０  ポンプ固定部
４２１  分離部
４２１１  漏洩孔
４２２  ポンプホルダ
４２３  吸込側パイプ
４２４  送出側パイプ
４２５  張出部
４２５１  流入孔
４２５２  排気孔
４２６  凸ジョイント
４２６１  管状部
４２６２  規制部
４２６３  フランジ部
４２７  コイルばね
４２８  排気口
４２９  絞り部
４３０  蓋状部
４３１  吸気口
４３２  クランプ
６  本体ケース部
６０５  ケースロアー
６２５  張出部
６２６  凸ジョイント
６３５  ガイド部材
６３６  貫通孔
６３７  リブ
６３８  コイルばね
６３９  係合爪
７  シャンプータンク
７０１  タンクロアー
７０２  タンクアッパー
７０４  凹ジョイント
７０８  コイルばね
７０９  押しレバー
【図１】
2010104390.tif 000003
【図２】
2010104390.tif 000004
【図３】
2010104390.tif 000005
【図４】
2010104390.tif 000006
【図５】
2010104390.tif 000007
【図６】
2010104390.tif 000008
【図７】
2010104390.tif 000009
【図８】
2010104390.tif 000010
【図９】
2010104390.tif 000011
【図１０】
2010104390.tif 000012
【図１１】
2010104390.tif 000013
【図１２】
2010104390.tif 000014
【図１３】
2010104390.tif 000015
【図１４】
2010104390.tif 000016
【図１５】
2010104390.tif 000017
【図１６】
2010104390.tif 000018
【図１７】
2010104390.tif 000019
【図１８】
2010104390.tif 000020
【図１９】
2010104390.tif 000021
【図２０】
2010104390.tif 000022
【図２１】
2010104390.tif 000023
【図２２】
2010104390.tif 000024
【図２３】
2010104390.tif 000025
【図２４】
2010104390.tif 000026
【図２５】
2010104390.tif 000027
【図２６】
2010104390.tif 000028
【図２７】
2010104390.tif 000029
【図２８】
2010104390.tif 000030
【図２９】
2010104390.tif 000031
【図３０】
2010104390.tif 000032
【図３１】
2010104390.tif 000033
【図３２】
2010104390.tif 000034
【図３３】
2010104390.tif 000035